(57)【特許請求の範囲】
【請求項１】
捕捉網（８）と、トラクションヘッド（６）と、ガイディング管（７）とを含むガスピストン式活動ガイディング管開網装置であって、イグナイタ（３）と、黒色火薬（５−１）およびボックス（５−２）を含むメインパウダー収納体（５）と、シールリング（４）と、腔体（１−１）、凹溝（１−２）、通気用管路（１−３）およびガス流路（１０）を含むガス発生器（１）と、ピストン（２）と、カバープレート（９）とをさらに含み、ガス発生器（１）の内部に、円筒状である腔体（１−１）を有して、ピストン（２）およびメインパウダー収納体（５）をその腔体（１−１）の中に配置し、ピストン（２）の頂部はガイディング管（７）の基座の三角形の凸部と接触し、ガス発生器（１）の下端はイグナイタ（３）とねじ式に接続していて、４つから６つの半円筒状の凹溝（１−２）をガス発生器（１）の上端面に均一に配置して、形状及び数量が凹溝（１−２）の形状および数量に一致する複数の通気用管路（１−３）を複数の凹溝（１−２）と交互に相互連絡し、その数量が通気用管路（１−３）の数量に一致するガス流路（１０）の両端を、それぞれ腔体（１−１）と通気用管路（１−３）に連通し、ガイディング管（７）の底部は矩形状で、凹溝（１−２）内に配置され、カバープレート（９）は、ガス発生器（１）の上端面およびガイディング管（７）の底部を密封結合して、シールリング（４）は、カバープレート（９）とガス発生器（１）の上端面との界面、およびカバープレート（９）とガイディング管（７）の底部との界面に設けられており、カバープレート（９）とガス発生器（１）の上端面とをネジ（１１）で固定し、トラクションヘッド（６）をガイディング管（７）の内部の底端に配置してピンで固定し、トラクションヘッド（６）の他端を捕捉網（８）の一角に固定し、
ガス発生器（１）によって生成されるガスは、開網装置の全体の動力源であって、ピストン（２）を押圧してガイディング管（７）を４０°〜４５°の角度で回転させ、また、ガイディング管（７）から発射するようにトラクションヘッド（６）を押圧し、捕捉網（８）を牽引して、スムーズに展開させ、開網装置の初期状態でガイディング管（７）は垂直に引かれ、作業の際に点火信号でイグナイタ（３）を爆発させて、生成されるガスでピストン（２）を押して、ピストン（２）の上方移動でガイディング管（７）の基座の三角形の凸部を押圧して、全体のガイディング管（７）を回転させ、ピストン（２）が２０ｍｍ〜４０ｍｍ移動した後、ガス流路（１０）を開かせて、ガスをガイディング管（７）の内部に入れて、トラクションヘッド（６）を押圧して、高速でガイディング管（７）から飛び出させ、トラクションヘッド（６）は、捕捉網（８）を引き出して展開させることを特徴とするガスピストン式活動ガイディング管開網装置。
【発明の詳細な説明】
【技術分野】
【０００１】
本発明は、開網装置に関し、特に、ガスピストン式活動ガイディング管開網装置に関する。
【背景技術】
【０００２】
現在、国内外で比較的に発達した捕捉網システムは、主に警察用の「ネット銃」である。「ネット銃」の開網装置は主に発射機構と、高圧ガスシリンダーと、固定ガイディング管と、トラクションヘッドと、捕捉網とからなる。この開網装置は、高圧ガスシリンダーが提供する推進力で、一定の角度を有する固定ガイディング管に沿って各トラクションヘッドを加速して、捕捉網の一角を駆動してその捕捉網を引き出すことにより、捕捉網が展開した状態になることを達成する。「ネット銃」の開網装置の欠点は、加速用のガイディング管の角度が小さくて、行程が短いため、展開される捕捉網の面積が小さくなり、一方、加速用のガイディング管の角度と行程を上げると、開網装置の体積を増やすおそれがあることである。
【先行技術文献】
【特許文献】
【０００３】
【特許文献１】中国特許出願公開第１０１５１７３５１号明細書
【発明の概要】
【発明が解決しようとする課題】
【０００４】
本発明の目的は、従来の開網装置の開網面積を増やすことと開網装置の体積を減らすこととの矛盾を解決するために、ガスピストン式活動ガイディング管開網装置を提供することである。
【課題を解決するための手段】
【０００５】
捕捉網と、トラクションヘッドと、ガイディング管とを含むガスピストン式活動ガイディング管開網装置であって、イグナイタと、黒色火薬およびボックスを含むメインパウダー収納体と、シールリングと、腔体、凹溝、通気用管路およびガス流路を含むガス発生器と、ピストンと、カバープレートとをさらに含み、ガス発生器の内部に、円筒状である腔体を有して、ピストンおよびメインパウダー収納体をその腔体の中に配置し、ピストンの頂部はガイディング管の基座の三角形の凸部と接触し、ガス発生器の下端はイグナイタとねじ式に接続していて、４つから６つの半円筒状の凹溝をガス発生器の上端面に均一に配置して、形状および数量が凹溝の形状および数量に一致する複数の通気用管路を複数の凹溝と交互に相互連絡し、その数量が通気用管路の数量に一致するガス流路の両端を、それぞれ腔体と通気用管路に連通し、ガイディング管の底部は”⊥”タイプで、凹溝内に配置され、カバープレートは、ガス発生器の上端面およびガイディング管の底部を密封結合して、その結合表面にシールリングを有し、カバープレートとガス発生器の上端面とをネジで固定し、トラクションヘッドをガイディング管の内部の底端に配置してピンで固定し、トラクションヘッドの他端を捕捉網の一角に固定している。
【０００６】
ガス発生器によって生成されるガスは、開網装置の全体の動力源であって、ピストンを押圧してガイディング管を４０°〜４５°の角度で回転させ、また、ガイディング管から発射するようにトラクションヘッドを押圧し、捕捉網を牽引して、スムーズに展開させ、開網装置の初期状態ではガイディング管は垂直に引かれ、作業の際に点火信号でイグナイタを爆発させて、生成されるガスでピストンを押して、ピストンの上方移動でガイディング管の基座の三角形の凸部を押圧して、全体のガイディング管を回転させ、ピストンが２０ｍｍ〜４０ｍｍ移動した後、ガス流路を開かせて、ガスをガイディング管の内部に入れて、トラクションヘッドを押圧して、高速でガイディング管から飛び出させ、トラクションヘッドは、捕捉網を引き出して展開させる。
【発明の効果】
【０００７】
この装置は、新規な構造を有して、展開することが速くて、加速用のガイディング管の行程が長くて、角度も大きくて、展開される捕捉網の面積が広くて、初期状態で体積が小さい。
【図面の簡単な説明】
【０００８】
【図１】ガスピストン式活動ガイディング管開網装置の初期状態の構造の概略図である。
【図２】ガスピストン式活動ガイディング管開網装置の作業状態の構造の概略図である。
【図３】ガスピストン式活動ガイディング管開網装置のガイディング管の固定形態とガス流路の構造との概略図である。
【図４】ガスピストン式活動ガイディング管開網装置のガス発生器のガス流路の構造の概略図である。
【図５】ガスピストン式活動ガイディング管開網装置のガイディング管の基座の断面図である。
【発明を実施するための最良の形態】
【０００９】
捕捉網８と、トラクションヘッド６と、ガイディング管７とを含むガスピストン式活動ガイディング管開網装置であって、イグナイタ３と、黒色火薬およびボックスを含むメインパウダー収納体５と、シールリング４と、腔体、凹溝、通気用管路およびガス流路１０を含むガス発生器１と、ピストン２と、カバープレート９とをさらに含み、ガス発生器１の内部に、円筒状である腔体を有して、ピストン２およびメインパウダー収納体５をその腔体の中に配置し、ピストン２の頂部はガイディング管７の基座の三角形の凸部と接触し、ガス発生器１の下端はイグナイタ３とねじ式に接続していて、６つの半円筒状の凹溝をガス発生器１の上端面に均一に配置して、形状および数量が凹溝の形状および数量に一致する６つの通気用管路を６つの凹溝と交互に相互連絡し、その数量が通気用管路の数量に一致するガス流路１０の両端を、それぞれ腔体と通気用管路に連通し、ガイディング管７の底部は”⊥”タイプで、凹溝内に配置され、カバープレート９は、ガス発生器１の上端面およびガイディング管７の底部を密封結合して、その結合表面にシールリング４を有し、カバープレート９とガス発生器１の上端面とをネジで固定し、トラクションヘッド６をガイディング管７の内部の底端に配置してピンで固定し、トラクションヘッド６の他端を捕捉網８の一角に固定している。
【００１０】
ガス発生器１によって生成されるガスは、開網装置の全体の動力源であって、ピストン２を押圧してガイディング管７を４５°の角度で回転させ、また、ガイディング管７から発射するようにトラクションヘッド６を押圧し、捕捉網８を牽引して、スムーズに展開させ、開網装置の初期状態ではガイディング管７は垂直に引かれ、作業の際に点火信号でイグナイタ３を爆発させて、生成されるガスでピストン２を押して、ピストン２の上方移動でガイディング管７の基座の三角形の凸部を押圧して、全体のガイディング管７を回転させ、ピストン２が３０ｍｍ移動した後、ガス流路１０を開かせて、ガスをガイディング管７の内部に入れて、トラクションヘッド６を押圧して、高速でガイディング管７から飛び出させ、トラクションヘッド６は、捕捉網８を引き出して展開させる。
【発明を実施するための形態】
【００１１】
捕捉網８と、トラクションヘッド６と、ガイディング管７とを含むガスピストン式活動ガイディング管開網装置であって、イグナイタ３と、黒色火薬およびボックスを含むメインパウダー収納体５と、シールリング４と、腔体、凹溝、通気用管路およびガス流路１０を含むガス発生器１と、ピストン２と、カバープレート９とをさらに含み、ガス発生器１の内部に、円筒状である腔体を有して、ピストン２およびメインパウダー収納体５をその腔体の中に配置し、ピストン２の頂部はガイディング管７の基座の三角形の凸部と接触し、ガス発生器１の下端はイグナイタ３とねじ式に接続していて、６つの半円筒状の凹溝をガス発生器１の上端面に均一に配置して、形状および数量が凹溝の形状および数量に一致する６つの通気用管路を６つの凹溝と交互に相互連絡し、その数量が通気用管路の数量に一致するガス流路１０の両端を、それぞれ腔体と通気用管路に連通し、ガイディング管７の底部は”⊥”タイプで、凹溝内に配置され、カバープレート９は、ガス発生器１の上端面およびガイディング管７の底部を密封結合して、その結合表面にシールリング４を有し、カバープレート９とガス発生器１の上端面とをネジで固定し、トラクションヘッド６をガイディング管７の内部の底端に配置してピンで固定し、トラクションヘッド６の他端を捕捉網８の一角に固定している。
【００１２】
ガス発生器１によって生成されるガスは、開網装置の全体の動力源であって、ピストン２を押圧してガイディング管７を４５°の角度で回転させ、また、ガイディング管７から発射するようにトラクションヘッド６を押圧し、捕捉網８を牽引して、スムーズに展開させ、開網装置の初期状態ではガイディング管７は垂直に引かれ、作業の際に点火信号でイグナイタ３を爆発させて、生成されるガスでピストン２を押して、ピストン２の上方移動でガイディング管７の基座の三角形の凸部を押圧して、全体のガイディング管７を回転させ、ピストン２が３０ｍｍ移動した後、ガス流路１０を開かせて、ガスをガイディング管７の内部に入れて、トラクションヘッド６を押圧して、高速でガイディング管７から飛び出させ、トラクションヘッド６は、捕捉網８を引き出して展開させる。
【産業上の利用可能性】
【００１３】
この装置は、新規な構造を有して、展開することが速くて、加速用のガイディング管の行程が長くて、角度も大きくて、展開される捕捉網の面積が広くて、初期状態で体積が小さい。
【符号の説明】
【００１４】
１  ガス発生器
２  ピストン
３  イグナイタ
４  シールリング
５  メインパウダー収納体
６  トラクションヘッド
７  ガイディング管
８  捕捉網
９  カバープレート
１０  ガス流路
【図１】
0005764259.tif 000002
【図２】
0005764259.tif 000003
【図３】
0005764259.tif 000004
【図４】
0005764259.tif 000005
【図５】
0005764259.tif 000006